(57)【特許請求の範囲】
【請求項１】
菱形金網製の蛇篭が隣接して配設され、隣接する２つの蛇篭の端部同士が連結部材により相互に連結され、連結された２つの蛇篭の前記連結部材が取り付けられた連結部の外面全体に、網製の連結部カバーが、前記２つの蛇篭に跨り且つ前記連結部材を覆うように取り付けられていることを特徴とする蛇篭連結体。
【請求項２】
前記連結部カバーは、菱形金網、溶接金網、プラスチック製網の何れかで形成されていることを特徴とする請求項１に記載の蛇篭連結体。
【請求項３】
前記連結部カバーは菱形金網で形成され、該連結部カバーを形成する菱形金網の網目の大きさは、前記蛇篭を形成する菱形金網の網目の大きさに対して同等以下であることを特徴とする請求項１又は２に記載の蛇篭連結体。
【請求項４】
前記蛇篭は、矩形をなす底面、前面、後面、左面、右面、上面の金網パネルからなる角形の蛇篭であり、該蛇篭の稜部には枠線が取り付けられ、隣接する２つの蛇篭の前記枠線が前記連結部材で相互に結締されていることを特徴とする請求項１から３の何れかに記載の蛇篭連結体。
【請求項５】
前記蛇篭は、円筒形の蛇篭であり、該蛇篭の長さ方向の端部には枠線が取り付けられ、長さ方向に隣接する蛇篭の前記枠線が前記連結部材で相互に結締されていることを特徴とする請求項１から３の何れかに記載の蛇篭連結体。
【発明の詳細な説明】
【技術分野】
【０００１】
本発明は、隣接して配置された蛇篭同士を連結部材で相互に連結した蛇篭連結体に関するものである。
【背景技術】
【０００２】
例えば特許文献１に記載されているように、海岸、河岸、湖岸等の岸辺に護岸壁を構築したり、傾斜地の法面に補強壁を構築したりする場合に、一般に蛇篭が使用される。この蛇篭は、菱形金網によって四角い容器形や円筒形などに形成されたもので、内部に栗石を充填した状態で岸辺や法面に沿って前後、左右に並べたり、上下に段積したりすることにより、前記護岸壁や補強壁等の擁壁が構築される。その際、蛇篭の位置ずれを防止して前記擁壁の強度を高めるため、隣接する蛇篭同士が適宜の方法で互いに連結されている。
【０００３】
前記蛇篭の連結は、図６に角形蛇篭の場合について示すように、該蛇篭２０ａ，２０ｂの稜部に取り付けられている枠線２１，２１同士を、針金製のコイル状をした連結部材２２ａで相互に結締するか、図７に示すように、隣接する蛇篭２０ａ，２０ｂの枠線２１，２１の複数箇所を、針金製を短く切断して巻き付けた連結部材２２ｂで結締するなどの方法により行われる。
【０００４】
前記連結部材２２ａ，２２ｂを形成する針金には、前記蛇篭２０ａ，２０ｂを形成する菱形金網の鉄線２３と同径か又はそれより大径のもの（例えば４．０ｍｍ以上）を使用することが義務づけられている。このような針金は太くて硬いため、現場での加工性や作業性が悪く、尖った切り口（端部）が外部に突出しないよう、該針金の端部を蛇篭の内側に向けて折り曲げた状態にするのも難しく、安全性に関する配慮があまりなされていないというのが実情である。その結果、蛇篭の連結を行ったあと、前記針金の尖った切り口がそのまま外部に露出した状態になることが多く、それに触れることによって怪我をする危険性があった。
【０００５】
この問題は、前述したようなコイル状や短線状をした連結部材で蛇篭の枠線同士を直接結束する場合だけでなく、針金からなる適宜の連結部材で、隣接する蛇篭の菱形金網を形成する鉄線（列線）同士を連結する場合や、菱形金網等の金網からなるパネル状の連結体を隣接する蛇篭間に跨るように配置し、該連結体の一半側と他半側とを一方の蛇篭と他方の蛇篭とに針金製の固定金具で結着することにより前記蛇篭を相互に連結する場合などにも、共通する問題である。
【先行技術文献】
【特許文献】
【０００６】
【特許文献１】特開平１０−１８２９５号公報
【発明の概要】
【発明が解決しようとする課題】
【０００７】
本発明の技術的課題は、隣接する蛇篭同士を連結部材で相互に連結した蛇篭連結体において、前記連結部材の端部即ち切り口が外部に露出するのを防止して安全性を高めることにある。
【課題を解決するための手段】
【０００８】
前記課題を解決するため本発明によれば、菱形金網製の蛇篭が隣接して配設され、隣接する２つの蛇篭の端部同士が連結部材により相互に連結され、連結された２つの蛇篭の前記連結部材が取り付けられた連結部の外面全体に、網製の連結部カバーが、前記２つの蛇篭に跨り且つ前記連結部材を覆うように取り付けられていることを特徴とする蛇篭連結体が提供される。
【０００９】
前記連結部カバーは、菱形金網、溶接金網、プラスチック製網の何れかで形成されていることが望ましい。より望ましくは、前記連結部カバーが菱形金網で形成されていて、該連結部カバーを形成する菱形金網の網目の大きさが、前記蛇篭を形成する菱形金網の網目の大きさに対して同等以下であることである。
【００１０】
本発明の一つの構成態様によれば、前記蛇篭は、矩形をなす底面、前面、後面、左面、右面、上面の金網パネルからなる角形の蛇篭であり、該蛇篭の稜部には枠線が取り付けられ、隣接する２つの蛇篭の前記枠線が前記連結部材で相互に結締されている。
【００１１】
本発明の他の構成態様によれば、前記蛇篭は、円筒形の蛇篭であり、該蛇篭の長さ方向の端部には枠線が取り付けられ、長さ方向に隣接する蛇篭の前記枠線が前記連結部材で相互に結締されている。
【発明の効果】
【００１２】
本発明によれば、連結部材で相互に連結された２つの蛇篭の連結部の外面に、網製の連結部カバーを取り付けることにより、前記連結部材の端部が外部に露出するのが防止されるため、安全性に勝れる。
【図面の簡単な説明】
【００１３】
【図１】本発明に係る蛇篭連結体の一実施形態を示す斜視図である。
【図２】図１の要部拡大側面図である。
【図３】蛇篭の構成を説明するための斜視図である。
【図４】連結部カバーの一例を示す正面図である。
【図５】菱形金網の構成を示す部分平面図である。
【図６】隣接する蛇篭をコイル状の連結部材で連結した状態を示す要部側面図である。
【図７】隣接する蛇篭を複数の連結部材で連結した状態を示す要部側面図である。
【発明を実施するための形態】
【００１４】
図１は本発明に係る蛇篭連結体の一実施形態を示すもので、この実施形態は、左右に隣り合うように配設された菱形金網製の２つの蛇篭１ａ，１ｂを、針金製のコイル状をした連結部材２で相互に連結し、該連結部材２が取り付けられた連結部の外面に、網製の連結部カバー３を取り付けたものである。
なお、以下の説明において、前記２つの蛇篭１ａ，１ｂを区別して標記する必要がない場合には、それらを単に「蛇篭１」と呼ぶものとする。
【００１５】
前記蛇篭１は、図３からも明らかなように、底面の金網パネル４ａと、該底面の金網パネル４ａの前後に配置された前面の金網パネル４ｂ及び後面の金網パネル４ｃと、前記底面の金網パネル４ａの左右に配置された左面の金網パネル４ｄ及び右面の金網パネル４ｅと、蛇篭１の上面を覆う上面の金網パネル４ｆとからなる角形の蛇篭であって、前記金網パネル４ａ，４ｂ，４ｃ，４ｄ，４ｅ，４ｆは全て矩形状をなし、前記前面及び後面の金網パネル４ｂ，４ｃ間を結ぶ前後方向長さ即ち前後長より、左面及び右面の金網パネル４ｄ，４ｅ間を結ぶ左右方向長さ即ち左右長の方が長い長方形の箱形に形成されている。そして、内部に骨材としての栗石（不図示）を充填した状態で、護岸壁の構築現場や法面補強壁の構築現場等に設置されるものである。
【００１６】
しかし、前記蛇篭１の前後長と左右長との大小関係は前記の場合と逆であっても良く、前後長と左右長とが等しくても構わない。
なお、蛇篭１の設置条件等により、前記上面の金網パネル４ｆは設けられないこともあるが、本実施形態では、この上面の金網パネル４ｆが設けられている場合について説明する。
【００１７】
前記底面の金網パネル４ａと、前面及び後面の金網パネル４ｂ，４ｃと、左面及び右面の金網パネル４ｄ，４ｅとは、各々を個別に形成して相互に連結しても良いが、例えば底面の金網パネル４ａと前面及び後面の金網パネル４ｂ，４ｃとは、それらの鉄線５の向きが互いに同じ向き、即ち図示したように横向きである場合には、一つの菱形金網によって一体に形成することもできる。
また、互いに別体に形成された金網パネル同士の連結は、各金網パネルの外周を取り囲む針金製のパネル枠６の互いに対応する枠線同士を、針金製のコイル状をしたスクリューストッパ７で結締することにより行われる。
しかし、図１、図２、図６、図７においては、図を簡略化して分かり易くするため、前記スクリューストッパ７の記載は省略されている。
【００１８】
なお、前記菱形金網は、図５に示すように、扁平螺旋形状に折曲した鉄線（列線）５の折曲部５ａを順次連繋することにより形成されたもので、隣接する鉄線５，５の前記折曲部５ａ，５ａが相互に連繋されている部分を連繋部５ｂと呼ぶ。
【００１９】
図１に示すように左右に隣接する２つの蛇篭１ａ，１ｂを連結する場合、該蛇篭１ａ，１ｂの前面においては、図２及び図３も参照して、右方の蛇篭１ａの左端部の、前記スクリューストッパ７で結締された前面の金網パネル４ｂのパネル枠６の左側枠線６ｂ１及び左面の金網パネル４ｄのパネル枠６の前側枠線６ｄ１と、左方の蛇篭１ｂの右端部の、前記スクリューストッパ７で結締された前面の金網パネル４ｂのパネル枠６の右側枠線６ｂ２及び右面の金網パネル４ｅのパネル枠６の前側枠線６ｅ１とが、前記コイル状の連結部材２を巻き付けることにより相互に結締され、前記蛇篭１ａ，１ｂの後面においては、右方の蛇篭１ａの左端部の、前記スクリューストッパ７で結締された後面の金網パネル４ｃのパネル枠６の左側枠線６ｃ１及び左面の金網パネル４ｄのパネル枠６の後側枠線６ｄ２と、左方の蛇篭１ｂの右端部の、前記スクリューストッパ７で結締された後面の金網パネル４ｃのパネル枠６の右側枠線６ｃ２及び右面の金網パネル４ｅのパネル枠６の後側枠線６ｅ２とが、前記コイル状の連結部材２を巻き付けることにより相互に結締されている。
【００２０】
同様に、前記蛇篭１ａ，１ｂの底面においては、右方の蛇篭１ａの左端部の、前記スクリューストッパ７で結締された底面の金網パネル４ａのパネル枠６の左側枠線６ａ１及び左面の金網パネル４ｄのパネル枠６の下側枠線６ｄ３と、左方の蛇篭１ｂの右端部の、前記スクリューストッパ７で結締された底面の金網パネル４ａのパネル枠６の右側枠線６ａ２及び右面の金網パネル４ｅのパネル枠６の下側枠線６ｅ３とが、前記コイル状の連結部材２を巻き付けることにより相互に結締され、前記蛇篭１ａ，１ｂの上面においては、右方の蛇篭１ａの端部の、前記スクリューストッパ７で結締された上面の金網パネル４ｆのパネル枠６の左側枠線６ｆ１及び左面の金網パネル４ｄのパネル枠６の上側枠線６ｄ４と、左方の蛇篭１ｂの右端部の、前記スクリューストッパ７で結締された上面の金網パネル４ｆのパネル枠６の右側枠線６ｆ２及び右面の金網パネル４ｅのパネル枠６の上側枠線６ｅ４とが、前記コイル状の連結部材２を巻き付けることにより相互に結締されている。
【００２１】
前記連結部材２の端部は、尖った切り口が外部に突出しないよう、できるだけ蛇篭１の内側に向けるようにすることが望ましい。
【００２２】
なお、前記蛇篭１ａ，１ｂの底面同士の連結は、該蛇篭１ａ，１ｂの内部に栗石を充填する前に行い、前記前面同士及び後面同士の連結は、前記栗石を充填する前か又は充填した後に行い、前記上面同士の連結は、前記栗石を充填して上面の金網パネル４ｆを取り付けた後に行う。しかし、蛇篭１ａ，１ｂの設置条件等により、底面同士を連結する必要がない場合や連結するのが難しい場合には、該底面同士の連結を省略することもできる。
【００２３】
前記連結部カバー３は、図４に示すように、扁平螺旋状に折曲した鉄線５からなる菱形金網によりパネル状に形成され、外周に針金製のカバー枠８を取り付けたもので、このような連結部カバー３が、前記連結部材２で相互に連結された２つの蛇篭１ａ，１ｂの外面、即ち、底面、前面、後面、上面の連結部の外面に、前記２つの蛇篭１ａ，１ｂに跨り且つ前記連結部材２を覆うようにそれぞれ配置され、針金からなる取付金具９で各蛇篭１ａ，１ｂに取り付けられている。
【００２４】
前記連結部カバー３の取り付けは、前記取付金具９で前記カバー枠８を、各金網パネル４ａ，４ｂ，４ｃ，４ｆの鉄線５に連繋部５ｂの位置で結締したり、前記取付金具９で連結部カバー３の鉄線５の連繋部５ｂを、前記金網パネル４ａ，４ｂ，４ｃ，４ｆのパネル枠６や鉄線５の連繋部５ｂ等に結締することにより行われる。この場合、前記連結部カバー３は蛇篭１にそれほど強固に固定する必要がないので、前記取付金具９として、菱形金網を形成する鉄線５よりは細く且つ柔らかい針金を使用することができ、その端部は、蛇篭１の外部に突出することのないよう、該蛇篭１の内側に向けて折り曲げられる。あるいは、前記針金の代わりに合成樹脂製の紐等を使用することもできる。
【００２５】
なお、前記連結部カバー３にカバー枠８が設けられていない場合には、該連結部カバー３の鉄線５の連繋部５ｂを、前記金網パネル４ａ，４ｂ，４ｃ，４ｆのパネル枠６や鉄線５の連繋部５ｂ等に結締する。
また、前記蛇篭１ａ，１ｂの底面同士が連結されていない場合には、該底面の連結部に対する前記連結部カバー３の取り付けも省略される。
【００２６】
前記連結部カバー３を形成する菱形金網の網目の大きさは、前記蛇篭１の各金網パネル４ａ，４ｂ，４ｃ，４ｆを形成する菱形金網の網目の大きさと同じかあるいはそれより小さいことが望ましいが、若干大きくても構わない。
また、前記連結部カバー３の横幅Ｗは、該連結部カバー３を２つの蛇篭１ａ，１ｂに跨って取り付けた際に、該連結部カバー３の一半部と他半部とが、各々の蛇篭１ａ，１ｂの金網パネル４ａ，４ｂ，４ｃ，４ｆを、該金網パネルの網目１−３個分程度覆うことができるような大きさであることが望ましい。
更に、前記連結部カバー３は、蛇篭の底面、前面、後面、上面に取り付けられるものを一つに連結するか、あるいは、前面、後面、上面に取り付けられるものを一つに連結することができる。
【００２７】
前記連結部カバー３を形成する菱形金網には、前記鉄線５が扁平螺旋状に折り曲げられていることによる厚みがあるため、前記連結部カバー３を蛇篭１ａ，１ｂ同士の連結部に前記連結部材２を覆うように取り付けることにより、該連結部カバー３の厚みにより、前記連結部材２の端部（切り口）が蛇篭１の外部に露出していたとしても、該連結部カバー３で覆われることによって該連結部カバー３の外側に突出するのが防止され、該端部に接触することによる危険性が解消される。
【００２８】
前記隣接する蛇篭１ａ，１ｂは、前記コイル状の連結部材２を使用することなく、図７に示す連結部材２２ｂと同様の、針金を短く切断した連結部材２を使用し、この連結部材を、隣接する蛇篭１ａ，１ｂのパネル枠６の枠線の複数箇所に巻き付けて結締することにより、相互に連結することもでき、あるいは、図４に示すような、菱形金網等の金網からなるパネル状の連結体と、該連結体を蛇篭に固定する針金製の固定金具とからなる連結部材を使用し、前記連結体を隣接する蛇篭間に跨るように配置し、該連結体の一半側と他半側とを前記固定金具で一方の蛇篭と他方の蛇篭とに結締することにより、相互に連結することもできる。これらの場合でも、隣接する蛇篭の連結部に前記連結部カバー３を取り付けることにより、各連結部材及び固定部材の端部が外部に露出するのを効果的に防止することができる。
【００２９】
前記連結部カバー３は、蛇篭１と異なる色に着色することもでき、このように連結部カバー３を着色することにより、該連結部カバー３が模様状に配置されるため、外観上の見栄えが良くなって意匠的効果が高められる。
【００３０】
図示した実施形態では、前記連結部カバー３が菱形金網で形成されているが、溶接金網で形成することも、プラスチック製の網で形成することもできる。
前記溶接金網は、格子状に配置した縦鉄線と横鉄線との交点を電気抵抗溶接により一体化したものである。
また、前記プラスチック製の網を使用する場合は、網厚を確保するため、厚手の網を使用するか、複数層に重ねた状態にして使用することが望ましい。
【００３１】
本発明は円筒形の蛇篭を長さ方向に連結した蛇篭連結体にも適用することができる。この場合、該蛇篭の長さ方向の端部には円形の枠線が取り付けられ、隣接する蛇篭の前記枠線同士が前記連結部材２で相互に結締されることにより、前記隣接する蛇篭が相互に連結されて、その連結部の外周に、前記連結部カバー３が取り付けられる。
【符号の説明】
【００３２】
１，１ａ，１ｂ      蛇篭
２      連結部材
３      連結部カバー
４ａ      底面の金網パネル
４ｂ      前面の金網パネル
４ｃ      後面の金網パネル
４ｄ      左面の金網パネル
４ｅ      右面の金網パネル
４ｆ      上面の金網パネル
６      パネル枠
６ａ１，６ａ２，６ｂ１，６ｂ２，６ｃ１，６ｃ２      枠線
６ｄ１−６ｄ４，６ｅ１−６ｅ４，６ｆ１，６ｆ２      枠線
【要約】
【課題】隣接する蛇篭同士を針金製の連結部材で相互に連結した蛇篭連結体において、前記連結部材の切り口が外部に露出するのを防止して安全性を高める。
【解決手段】菱形金網からなる蛇篭１ａ，１ｂが隣接して配設され、隣接する２つの蛇篭１ａ，１ｂが、各々の蛇篭１ａ，１ｂの一部を針金製の連結部材２で相互に結締することにより互いに連結され、連結された２つの蛇篭１ａ，１ｂの連結部の外面に、網製の連結部カバー３が、前記２つの蛇篭１ａ，１ｂに跨り且つ前記連結部材２を覆うように取り付けられる。
【選択図】図１【図１】
0005875644.tif 000002
【図２】
0005875644.tif 000003
【図３】
0005875644.tif 000004
【図４】
0005875644.tif 000005
【図５】
0005875644.tif 000006
【図６】
0005875644.tif 000007
【図７】
0005875644.tif 000008